(57)【要約】      （修正有）【課題】スロットイン方式のディスク装置において、エマージェンシー状態に対応する操作ピンの操作にあたり、動力伝達ギヤ機構の摩擦損失の影響を受けなくなるようにする。【解決手段】ディスクが挿入されるスロットと、ローディングスライダーが前進後退することにより、挿入されたディスクを装置内部へ搬入し、または装置内部に収容されているディスクを装置外部へ搬出するように揺動する複数のアームと、前記ローディングスライダーの駆動源となるローディングモータの駆動力を前記ローディングスライダーへ伝達する動力伝達ギヤ機構と、を備えてなるディスク装置において、装置外部から挿入される操作ピンによる押圧操作により移動して、前記動力伝達ギヤ機構内の伝達経路を遮断するとともに、前記動力伝達ギヤ機構に噛合して前記ローディングスライダーを移動させ、ディスクを排出するように前記複数のアームを揺動させる強制排出手段を備える。【選択図】図４
2008016129.tif 000002
【特許請求の範囲】
【請求項１】
ディスクが挿入されるスロットと、
ローディングスライダーが前進後退することにより、前記スロットから挿入されたディスクを装置内部へ搬入し、または装置内部に収容されているディスクを装置外部へ搬出するように揺動する複数のアームと、
前記ローディングスライダーの駆動源となるローディングモータの駆動力を前記ローディングスライダーへ伝達する動力伝達ギヤ機構と、
を備えてなるディスク装置において、
装置外部から挿入される操作ピンによる押圧操作により移動して、前記動力伝達ギヤ機構内の前記駆動力の伝達経路を遮断するとともに、前記動力伝達ギヤ機構に噛合して前記ローディングスライダーを移動させ、ディスクを排出するように前記複数のアームを揺動させる強制排出手段を備えたことを特徴とするディスク装置。
【請求項２】
ディスクが挿入されるスロットと、
ローディングスライダーが前進後退することにより、前記スロットから挿入されたディスクを装置内部へ搬入し、または装置内部に収容されているディスクを装置外部へ搬出するように揺動する複数のアームと、
前記ローディングスライダーの駆動源となるローディングモータの駆動力を前記ローディングスライダーへ伝達する動力伝達ギヤ機構と、
を備えてなるディスク装置において、
装置外部から挿入される操作ピンによる押圧操作により移動して、前記ローディングスライダーが一方向のみに移動するように前記動力伝達ギヤ機構に係止するとともに、前記動力伝達ギヤ機構に噛合して前記ローディングスライダーを移動させ、ディスクを排出するように前記複数のアームを揺動させる強制排出手段を備えたことを特徴とするディスク装置。
【請求項３】
ディスクが挿入されるスロットと、
ローディングスライダーが前進後退することにより、前記スロットから挿入されるディスクを装置内部へ搬入し、または装置内部に収容されているディスクを装置外部へ搬出するように揺動する複数のアームと、
前記ローディングスライダーの駆動源となるローディングモータの駆動力を前記ローディングスライダーへ伝達する動力伝達ギヤ機構と、
を備えてなるディスク装置において、
装置外部から挿入される操作ピンによる押圧操作により移動して、前記動力伝達ギヤ機構内の前記駆動力の伝達経路を遮断するとともに、前記ローディングスライダーが一方向のみに移動するように前記動力伝達ギヤ機構に係止した後、前記動力伝達ギヤ機構に噛合して前記ローディングスライダーを移動させ、ディスクを排出するように前記複数のアームを揺動させる強制排出手段を備えたことを特徴とするディスク装置。
【請求項４】
ディスクが挿入されるスロットと、
ローディングスライダーが前進後退することにより、前記スロットから挿入されたディスクを装置内部へ搬入し、または装置内部に収容されているディスクを装置外部へ搬出するように揺動する複数のアームと、
前記ローディングスライダーの駆動源となるローディングモータの駆動力を前記ローディングスライダーへ伝達する動力伝達ギヤ機構と、
を備えてなるディスク装置において、
装置外部から挿入される操作ピンによる押圧操作により移動する能動部材と、
該能動部材の移動に伴って動作する受動部材とを前記動力伝達ギヤ機構に有し、
前記受動部材が動作することにより前記動力伝達ギヤ機構内の前記駆動力の伝達経路を遮断するとともに、前記ローディングスライダーが一方向のみに移動するように前記動力伝達ギヤ機構に前記受動部材が係止した後、前記能動部材が前記動力伝達ギヤ機構に噛合して前記ローディングスライダーを移動させ、ディスクを排出するように前記複数のアームを揺動させる強制排出手段を備えたことを特徴とするディスク装置。
【請求項５】
ローディングモータの正転または逆転により駆動される複数の歯車を噛合して構成された動力伝達ギヤ機構によりディスクを装置内部へ搬入または装置外部へ搬出するようにしたディスク装置であり、
前記動力伝達ギヤ機構は所定の歯車同士の噛合状態を外力により解除する第１の機能と、前記第１の機能により回転自由となった歯車が外力により回転される第２の機能とを備え、
装置外部から挿入された操作ピンの進入に伴って働く前記第１の機能により所定の歯車の噛合が解除された後、さらに操作ピンを進入させることにより働く前記第２の機能により回転自由となった歯車を強制的に回転させ、ディスクを装置外部へ排出するようにしたことを特徴とするディスク装置。
【請求項６】
ローディングモータの正転または逆転により駆動される複数の歯車を噛合して構成された動力伝達ギヤ機構によりディスクを装置内部へ搬入または装置外部へ搬出するようにしたディスク装置であり、
前記動力伝達ギヤ機構は所定の歯車に対し、該歯車のディスクを搬入する回転方向への回転を外力により阻止する第１の機能と、前記第１の機能によりディスクを搬入する方向への回転が阻止された歯車が外力によりディスクを搬出する回転方向へ回転される第２の機能とを備え、
装置外部から挿入された操作ピンの進入に伴って働く前記第１の機能により所定の歯車のディスクを搬入する方向への回転が阻止された後、さらに操作ピンを進入させることにより働く前記第２の機能によりディスクを搬入する回転方向への回転が阻止された歯車を強制的にディスクを搬出する方向へ回転させ、ディスクを装置外部へ排出するようにしたことを特徴とするディスク装置。
【発明の詳細な説明】
【技術分野】
【０００１】
本発明は、各種コンピュータシステムなどの情報機器において、大量の情報を記録する記録媒体としての光ディスク（例えば、ＣＤ−Ｒ／ＲＷ、ＤＶＤ−Ｒ／−ＲＷ／ＲＡＭ／＋Ｒ／＋ＲＷなど）をドライブするディスク装置に関する。
【背景技術】
【０００２】
一般に情報機器に内蔵されているディスク装置は、通常、ディスクを装填するディスクトレイを備えており、このディスクトレイが前進後退するように構成されている。そして、ディスクトレイに装填されたディスクは、ディスク装置本体内でドライブされ、情報の記録または再生が行われる。
【０００３】
一方、ディスクトレイを用いない方式であるスロットイン方式のディスク装置も多く採用される傾向にあり、パーソナルコンピュータの薄型化、小型化に好適なものとなっている。このスロットイン方式のディスク装置は、装置本体へのディスクの搬入（ロード）／装置本体からの搬出（アンロード）にディスクトレイを用いないため、装置の利用者がディスクの過半をフロントベゼルのスロットに差し込むと、以後、装置本体のローディング機構が作動して自動的に搬入されるようにしている。
【０００４】
情報機器にこのようなスロットイン方式のディスク装置が内蔵されている場合、ディスク装置に収容されているディスクを回収するには、使用者の押釦操作などにより装置に指示を与え、自動的にディスクを装置外部へ搬出するようにしている。ところが、停電などによる電源の遮断あるいはディスク装置自体の機構的不具合が発生するとディスクが自動的に搬出されず、ディスク装置内にディスクが残置されたままの状態となる。
【０００５】
このようにディスク装置内のディスクが回収されないまま残置されてしまう状態はきわめて重大な不具合であるため、従来からディスク装置にはこのような緊急事態（エマージェンシー）に対応するため、ディスクの強制排出手段が設けられている。かかる強制排出手段の一例として、本願出願人により開発されたものは、手動用駆動部材の押圧操作を複数回繰り返し、この手動用駆動部材をローディングアームを回動させるギヤと断続的に係合させ、ディスクを排出するようにしている（例えば、特許文献１）。
【特許文献１】特許第３７７２６６７号公報
【発明の開示】
【発明が解決しようとする課題】
【０００６】
図１６は、上記方式の強制排出手段を示すもので、手動用駆動部材となるイジェクトスライダー１００は常時、操作ピン（エマージェンシーピン）Ｐによる押圧方向とは逆方向にコイルバネ１０１により付勢されており、この付勢力で初期位置に復帰できるようにしている。イジェクトスライダー１００にはラック１０４が形成されており、ガイド溝１０５ａ・１０５ｂの範囲内で往復動するイジェクトスライダー１００が前進するとこのラック１０４と第１のギヤユニット１０３が噛合する。
【０００７】
したがって、操作ピンＰによるイジェクトスライダー１００の押圧操作により、ラック１０４が噛合して第１のギヤユニット１０３が強制的に回転されディスクの強制排出が可能となるのであるが、第１のギヤユニット１０３がモータ１０２のウォーム１０６に噛合していることからこの部分の摩擦損失が大きく、イジェクトスライダー１００の操作に大きな押圧力が必要であり、機構的ストレスも大きいものとなる。
【課題を解決するための手段】
【０００８】
そこで本発明は、以下に述べる各手段により上記課題を解決するようにした。即ち、請求項１記載の発明では、ディスクが挿入されるスロットと、ローディングスライダーが前進後退することにより、前記スロットから挿入されたディスクを装置内部へ搬入し、または装置内部に収容されているディスクを装置外部へ搬出するように揺動する複数のアームと、前記ローディングスライダーの駆動源となるローディングモータの駆動力を前記ローディングスライダーへ伝達する動力伝達ギヤ機構と、を備えてなるディスク装置において、装置外部から挿入される操作ピンによる押圧操作により移動して、前記動力伝達ギヤ機構内の前記駆動力の伝達経路を遮断するとともに、前記動力伝達ギヤ機構に噛合して前記ローディングスライダーを移動させ、ディスクを排出するように前記複数のアームを揺動させる強制排出手段を備える。
【０００９】
請求項２記載の発明では、ディスクが挿入されるスロットと、ローディングスライダーが前進後退することにより、前記スロットから挿入されたディスクを装置内部へ搬入し、または装置内部に収容されているディスクを装置外部へ搬出するように揺動する複数のアームと、前記ローディングスライダーの駆動源となるローディングモータの駆動力を前記ローディングスライダーへ伝達する動力伝達ギヤ機構と、を備えてなるディスク装置において、装置外部から挿入される操作ピンによる押圧ピンによる押圧操作により移動して、前記ローディングスライダーが一方向のみに移動するように前記動力伝達ギヤ機構に係止するとともに、前記動力伝達ギヤ機構に噛合して前記ローディングスライダーを移動させ、ディスクを排出するように前記複数のアームを揺動させる強制排出手段を備える。
【００１０】
請求項３記載の発明では、ディスクが挿入されるスロットと、ローディングスライダーが前進後退することにより、前記スロットから挿入されるディスクを装置内部へ搬入し、または装置内部に収容されているディスクを装置外部へ搬出するように揺動する複数のアームと、前記ローディングスライダーの駆動源となるローディングモータの駆動力を前記ローディングスライダーへ伝達する動力伝達ギヤ機構と、を備えてなるディスク装置において、装置外部から挿入される操作ピンによる押圧操作により移動して、前記動力伝達ギヤ機構内の前記駆動力の伝達経路を遮断するとともに、前記ローディングスライダーが一方向のみに移動するように前記動力伝達ギヤ機構に係止した後、前記動力伝達ギヤ機構に噛合して前記ローディングスライダーを移動させ、ディスクを排出するように前記複数のアームを揺動させる強制排出手段を備える。
【００１１】
請求項４記載の発明では、ディスクが挿入されるスロットと、ローディングスライダーが前進後退することにより、前記スロットから挿入されたディスクを装置内部へ搬入し、または装置内部に収容されているディスクを装置外部へ搬出するように揺動する複数のアームと、前記ローディングスライダーの駆動源となるローディングモータの駆動力を前記ローディングスライダーへ伝達する動力伝達ギヤ機構と、を備えてなるディスク装置において、装置外部から挿入される操作ピンによる押圧操作により移動する能動部材と、該能動部材の移動に伴って動作する受動部材とを前記動力伝達ギヤ機構に有し、前記受動部材が動作することにより前記動力伝達ギヤ機構内の前記駆動力の伝達経路を遮断するとともに、前記ローディングスライダーが一方向のみに移動するように前記動力伝達ギヤ機構に前記受動部材が係止した後、前記能動部材が前記動力伝達ギヤ機構に噛合して前記ローディングスライダーを移動させ、ディスクを排出するように前記複数のアームを揺動させる強制排出手段を備える。
【００１２】
請求項５記載の発明では、ローディングモータの正転または逆転により駆動される複数の歯車を噛合して構成された動力伝達ギヤ機構によりディスクを装置内部へ搬入または装置外部へ搬出するようにしたディスク装置であり、前記動力伝達ギヤ機構は所定の歯車同士の噛合状態を外力により解除する第１の機能と、前記第１の機能により回転自由となった歯車が外力により回転される第２の機能とを備え、装置外部から挿入された操作ピンの進入に伴って働く第１の機能により所定の歯車の噛合が解除された後、さらに操作ピンを進入させることにより働く前記第２の機能により回転自由となった歯車を強制的に回転させ、ディスクを装置外部へ排出するようにする。
【００１３】
請求項６記載の発明では、ローディングモータの正転または逆転により駆動される複数の歯車を噛合して構成された動力伝達ギヤ機構によりディスクを装置内部へ搬入または装置外部へ搬出するようにしたディスク装置であり、前記動力伝達ギヤ機構は所定の歯車に対し、該歯車のディスクを搬入する回転方向への回転を外力により阻止する第１の機能と、前記第１の機能によりディスクを搬入する方向への回転が阻止された歯車が外力によりディスクを搬出する回転方向へ回転される第２の機能とを備え、装置外部から挿入された操作ピンの進入に伴って働く前記第１の機能により所定の歯車のディスクを搬入する方向への回転が阻止された後、さらに操作ピンを進入させることにより働く前記第２の機能によりディスクを搬入する回転方向への回転が阻止された歯車を強制的にディスクを搬出する方向へ回転させ、ディスクを装置外部へ排出するようにする。
【発明の効果】
【００１４】
本発明によれば、装置内部のディスクを強制的に排出する操作において、ディスクを搬送する複数のアームを駆動するためのローディングスライダーを前進後退させる駆動力の伝達を遮断する機能、およびローディングスライダーを移動する機能を操作ピンによる押圧操作により同時に可能となるようにしたので動力伝達ギヤ機構に摩擦損失が発生することなく、操作ピンの押圧操作に抵抗感のないスムースな操作感覚が得られる。また、本発明によれば、操作ピンによる排出操作を繰り返す方式となるため、ディスクが高速回転されている状態における排出操作においても、ディスクが完全に停止した状態で排出され、回収の安全性を高くすることができる。
【発明を実施するための最良の形態】
【００１５】
以下、本発明をスロットイン方式のディスク装置に実施した形態を図にもとづいて詳細に説明する。なお、以下に説明する実施例としたディスク装置１の内部の機構要素の平面の状態を図２、その斜視図を図３に示し、底面から俯瞰した状態を図４乃至図１３に示す。
【００１６】
図１は、本発明を実施したディスク装置１の外観を示す図であり、シールド状態に構成されたシャーシケース２の前端の開口部にベゼル３が配設されている。このベゼル３にはディスクＤを挿入するスロット３ａ、および緊急事態を解除するためのエマージェンシー通孔３ｂが形成されている。また、このベゼル３には収容されているディスクＤの装置外部への排出を指示するための押釦４およびディスク装置１の動作状態を表示するためのインジケータ５を備える。
【００１７】
図２は、このディスク装置１の天板部分を除去した状態の平面図であり、その斜視図を図３に示す。同図において、シャーシケース２内にはベースパネル６が配設されており、その中央から斜め下方への配置状態でディスクＤのドライブユニットＡが設けられている。このドライブユニットＡは昇降フレーム８に組み込まれており、ディスクＤをシャーシケース２へ搬入または搬出するとき、ディスクＤの中心孔をクランプまたはクランプを解除するため、垂直方向に上下動可能となるようにするため、昇降フレーム８が複数の緩衝支持構造９によりベースパネル６に支持されている。
【００１８】
前記昇降フレーム８の先端には、搬入されて停止したディスクＤの中心に対応する位置にクランプヘッド７が配設されている。このクランプヘッド７はターンテーブル１０と一体に構成され、直下に配したスピンドルモータ１１の駆動軸に固定されており、このスピンドルモータ１１によりクランプヘッド７にクランプされたディスクＤが回転駆動される。
【００１９】
つぎに、符号Ｂはヘッドユニットであり、光ピックアップ１２をディスクＤの直径方向に往復動させるためのキャリアブロック１３に固定されており、このキャリアブロック１３は両側のガイドシャフト１４・１５に支持され、スレッドモータ１６およびギヤユニット（図示省略）により往復動される。
【００２０】
符号１７はディスクＤの搬入および搬出を司るディスク支持アームであり、符号１８はスロット３ａから挿入されたディスクＤを装置内部へ搬入するための誘引アームである。このディスク支持アーム１７と誘引アーム１８は、図４に示すリンク機構１９により同期して揺動するように構成され、自動ローディングが可能となるようにしている。
【００２１】
即ち、図２に示すようにディスクＤがベゼル３のスロット３ａから挿入されると、ディスクＤの搬入方向の先端がディスク支持アーム１７の先端に固定されたホルダー１７ａに当接する。そして、さらにディスクＤが進入すると、ディスクＤに押圧されてディスク支持アーム１７が遠心方向に揺動して先端のホルダー１７ａが後退するとともに、図４に示すリミットスイッチＬＳが作動し、その信号にもとづいてローディングスライダー２０を主体に構成された搬送機構Ｃが作動を開始し、自動ローディングが開始される。
【００２２】
この状態に至ると、搬送機構Ｃの働きにより誘引アーム１８が揺動してその先端ローラ１８ａがディスクＤの後端部に当接し、ディスクＤを装置内部へ搬入して行くことになる。そして、図５に示すように、ディスクＤはその中心孔がクランプヘッド７と一致した位置で停止し、クランプヘッド７の上下動によりディスクＤの中心孔がクランプヘッド７にクランプされることになる。なお、クランプヘッド７を上下動するための昇降フレーム８の昇降は、昇降フレーム８に固定された従動ピン８ａ・８ｂ・８ｃがローディングスライダー２０およびこのローディングスライダー２０と同期してスライドする従動スライダー２１・２２に形成されたカム溝に案内されて上下動する既知の構成を採用している。
【００２３】
上記のようにして装置内部に搬入され、収容されているディスクＤを装置外部へ搬出する場合は、ベゼル３の押釦４を操作するか情報機器からの指令にもとづき、搬入時とは逆の方向に搬送機構Ｃが駆動され、ディスク支持アーム１７が求心方向に揺動し、図４に示す位置までディスクＤを搬出する。要するに、以上に説明したディスク支持アーム１７の揺動、昇降フレーム８の上下動など一連の動作は、ローディングスライダー２０の前進後退に同期してなされる。
【００２４】
前記ローディングスライダー２０は、図６に示すように端部にラックギヤ２０ａが形成され、側面に昇降フレーム８の従動ピン８ａを動作制御するカム溝２０ｂが形成されており、また、表面には誘引アーム１８を揺動させるためのリンクレバー１８ｂを動作制御するカム溝２０ｃが形成されている。このように形成されたローディングスライダー２０は、図４および図５に示すようにシャーシケース２の側壁に沿って前進後退が可能となるようにして配設される。
【００２５】
つぎに、前記ローディングスライダー２０を前進後退させるための動力伝達ギヤ機構Ｅの構成を図７にもとづいて説明する。同図に示すように動力伝達ギヤ機構Ｅは、ローディングモータ２３の駆動力をローディングスライダー２０へ伝達するギヤトレインにより構成されており、ローディングモータ２３の出力軸に固定されたウォーム２３ａがホイール２４を回転する。このホイール２４には小径ギヤ２４ａが一体に形成されており、ベースパネル６またはシャーシケース２から立設されたスピンドルピン２５に挿着し、上下動可能となるようにしている。
【００２６】
前記ホイール２４の小径ギヤ２４ａは定位置で回転する伝達ギヤ２６と噛合し、この伝達ギヤ２６と一体の小径ギヤ２６ａが駆動ギヤ２７と噛合し、さらにこの駆動ギヤ２７の小径ギヤ２７ａがローディングスライダー２０のラックギヤ２０ａに噛合している。したがって、ローディングモータ２３の駆動力はウォーム２３ａから順次ラックギヤ２０ａに伝達され、ローディングスライダー２０の前進後退が可能となる。なお、以上のように構成された動力伝達ギヤ機構Ｅ、ローディングスライダー２０、ローディングモータ２３は、図４および図５に示すように配設されるが、同図においては、後述する能動部材２９の配設状態は省略してある。
【００２７】
そして本発明の動力伝達ギヤ機構Ｅには、前記ギヤトレイン（ディスク装置１の底面側）の上面に配され、引張コイルバネ２８によりベゼル３側へ付勢されている能動部材２９を備える。この能動部材２９はエマージェンシー通孔３ｂから挿入された操作ピンＰに押圧され移動する。そして、この能動部材２９の移動に伴って動作する受動部材３０をギヤトレインの側部であってベースパネル６に一端を軸支して揺動可能に配設してある。なお、この受動部材３０は捻りバネ３１により遠心方向に常時付勢されている。
【００２８】
ここで、上記能動部材２９および受動部材３０の形態的特徴を以下に説明する。図８（Ａ）はディスク装置１の底面側に臨む能動部材２９の形態を示すもので、前端に駆動ギヤ２７に噛合するラックギヤ２９ａが形成されている。このラックギヤ２９ａは前進方向を垂直状態とし、後退方向を傾斜状態としている。したがって、能動部材２９が前進したとき、ラックギヤ２９ａと駆動ギヤ２７との噛合が確実となる一方、後退するときは、接触抵抗が小さくなることからラックギヤ２９ａが駆動ギヤ２７の歯山に乗り上げ易くなり、駆動ギヤからの離脱が円滑となる。
【００２９】
なお、能動部材２９の側部に前記スピンドルピン２５へ装着するための長孔２９ｃが形成され、側端には引張コイルバネ２８を係止するフック２９ｄが形成されており、後端には操作ピンＰの受端部２９ｅが形成されている。図８（Ｂ）はディスク装置１の上面側に臨む能動部材２９の形態を示すもので、定常状態でホイール２４を上下方向の定位置に保つためその表面に接触する段部２９ｆが形成され、さらにこの段部２９ｆが突出する突起２９ｇが形成されている。
【００３０】
図９はディスク装置１の裏面側に臨む受動部材３０の形態を示すもので、後端部にベースパネル６へ軸支するための通孔３０ａが形成されており、前端部には傾斜片３０ｂが形成されている。この傾斜片３０ｂの後部には前記能動部材２９の突起２９ｇと係合する凸条３０ｃが形成されており、側部にはラッチ爪３０ｄを備えたラッチアーム３０ｅが形成されている。
【００３１】
つぎに、以上のように構成された本発明の動力伝達ギヤ機構Ｅを装置外部から操作ピンＰにより強制的に作動し、収容されているディスクを装置外部へ排出する態様を以下に説明する。図１０は、動力伝達ギヤ機構Ｅの定常状態を示すもので、ハッチングを付して示した能動部材２９は、引張コイルバネ２８の付勢力によりベゼル３側に付勢され、スピンドルピン２５で係止され初期位置に停止している。
【００３２】
このとき、図１４に示すように能動部材２９の段部２９ｆはホイール２４の裏面に面接触し、このホイール２４は定位置に保たれた状態となるため、ホイール２４の回転はその小径ギヤ２４ａから伝達ギヤ２６に伝達される。一方、受動部材３０は捻りバネ３１に付勢され、遠心方向の初期位置にあるため、ホイール２４および伝達ギヤ２６に作用することがない。したがって、ローディングモータ２３の駆動力はラックギヤ２０ａまで伝達され、ローディングモータ２３の正転、逆転に伴いローディングスライダー２０が前進後退する。
【００３３】
図１１は、装置内部に収容されたディスクを強制的に排出する場合の初期状態である。ベゼル３のエマージェンシー通孔３ｂから操作ピンＰが差し込まれ、能動部材２９を前進させて図１０から図１１に至る過程において、能動部材２９の２９ｇが受動部材３０の凸条３０ｃの傾斜部３０ｃ−１に乗り上げるため、受動部材３０は図１０の位置から図１１に示す位置まで求心方向へ揺動する。
【００３４】
これにより、能動部材２９の段部２９ｆはホイール２４の最外周から離間して面接触が解除される一方、図１５に示すように受動部材３０の傾斜片３０ｂの傾斜面３０ｂ−１がホイール２４の表面に楔状態で進入することから、前記段部２９ｆの厚さに相当するだけホイール２４は押し下げられ、ホイール２４の小径ギヤ２４ａと伝達ギヤ２６との噛合が解除される。これと同時にラッチアーム３０ｅの先端のラッチ爪３０ｄが伝達ギヤ２６に噛合し、同図において伝達ギヤ２６の反時計回り方向の回転が阻止される状態となる。
【００３５】
図１２は、図１１の状態から能動部材２９が長孔２９ｃの範囲で定められる最終位置までさらに前進して駆動ギヤ２７にラックギヤ２９ａが噛合し、駆動ギヤ２７を同図反時計回り方向に回転させた状態を示す。これにより、駆動ギヤ２７の小径ギヤ２７ａがローディングスライダー２０のラックギヤ２０ａに噛合しているため、前記回転相当量だけローディングスライダー２０がベゼル３方向へ移動する。この移動に伴いローディングスライダー２０により駆動されるディスク支持アーム１７などをディスクの搬出方向に作動し、収容されているディスクをベゼル３方向へ移動することができる。
【００３６】
なお、このときラッチ爪３０ｄは伝達ギヤ２６の時計廻り方向の回転を阻止しないため、伝達ギヤ２６は駆動ギヤ２７の回転に伴って回転する。即ち、操作者が操作ピンＰにより能動部材２９を前進させる力が、ラッチ爪３０ｄにより伝達ギヤ２６の回転を阻止する力を上回るため、伝達ギヤ２６の歯山によりラッチ爪３０ｄが揺動され、伝達ギヤ２６が回転されるのである。
【００３７】
図１３は、図１２の状態の能動部材２９が初期位置に戻る状態を示すもので、このとき後退する能動部材２９のラックギヤ２９ａにより駆動ギヤ２７を同図において時計回り方向へ回転させる力が働くが、ラッチ爪３０ｄにより伝達ギヤ２６の反時計廻り方向の回転が阻止されるため、駆動ギヤ２７が回転することはない。即ち、このときラッチ爪３０ｄが伝達ギヤ２６の回転を阻止する力が、引張コイルバネ２８の付勢力で能動部材２９が戻るのに伴い駆動ギヤ２７を回転させようとする力を上回るため、駆動ギヤ２６の回転を阻止できるのである。また、前述したように、能動部材２９のラックギヤ２９ａの後退方向を傾斜状態としていることから駆動ギヤ２７を回転させようとする力が大きくならいため、引張コイルバネ２８のバネ弾性を必要以上に大きくすることなく、能動部材２９を円滑に初期位置へ戻すことができる。
【００３８】
したがって、能動部材２９が引張コイルバネ２８の付勢力により初期位置へ向かう後退に伴い、ラックギヤ２９ａが駆動ギヤ２７の歯山を乗り越える間、能動部材２９は僅かに傾き揺動する。なお、能動部材２９が図１３に示す状態からさらに後退すると、段部２９ｆの傾斜部２９ｆ−１がホイール２４の裏面に楔状態で進入し、ホイール２４を図１４に示す状態に押し上げ、ホイール２４の小径ギヤ２４ａと伝達ギヤ２６が噛合する。
【００３９】
このように本発明により構成された動力伝達ギヤ機構ＥにおいてディスクＤの強制排出を行う場合、操作ピンＰによる１回の操作ストロークが僅かであるため能動部材２９の押圧操作は複数回行われ、ディスクＤを断続的にベゼル３に向かって前進させ、スロット３ａから排出することになる。したがって、強制排出時にディスクＤが回転していたとしても、排出ピンＰによる排出操作が複数回行われている間にディスクＤは完全に回転を停止して排出されることになる。
【００４０】
以上詳細に説明したように本発明によれば、操作ピンによる強制排出において動力伝達ギヤ機構の摩擦損失の影響を受けることがないため、機構的ストレスがない円滑な操作が可能となる。なお、本発明の実施の対象は特定の昇降フレームの駆動方式などに限定されるものではなく、要するにローディングモータの正転または逆転によりディスクの搬入または搬出を行うようにしたディスク装置であれば実施可能となるものである。
【図面の簡単な説明】
【００４１】
【図１】本発明を実施するスロットイン方式のディスク装置の外観斜視図である。
【図２】図１のディスク装置の内部構造を示す平面図である。
【図３】図１のディスク装置の内部構造を示す斜視図である。
【図４】図１のディスク装置の底面の内部構造を示す図である。
【図５】図１のディスク装置の底面の内部構造を示す図である。
【図６】ローディングスライダーの構成を示す斜視図である。
【図７】本発明の動力伝達ギヤ機構の構成を示す組立斜視図である。
【図８】能動部材の形態を示す斜視図である。
【図９】受動部材の形態を示す斜視図である。
【図１０】本発明の動作態様を説明する要部の平面図である。
【図１１】本発明の動作態様を説明する要部の平面図である。
【図１２】本発明の動作態様を説明する要部の平面図である。
【図１３】本発明の動作態様を説明する要部の平面図である。
【図１４】能動部材および受動部材の機能を説明する要部の側面図である。
【図１５】能動部材および受動部材の機能を説明する要部の側面図である。
【図１６】従来の強制排出手段の構成を示す図である。
【符号の説明】
【００４２】
１・・・・・・ディスク装置
２・・・・・・シャーシケース
３・・・・・・ベゼル
３ａ・・・・・スロット
３ｂ・・・・・エマージェンシー通孔
４・・・・・・押釦
５・・・・・・インジケータ
６・・・・・・ベースパネル
７・・・・・・クランプヘッド
８・・・・・・昇降フレーム
９・・・・・・緩衝支持構造
１０・・・・・ターンテーブル
１１・・・・・スピンドルモータ
１２・・・・・光ピックアップ
１３・・・・・キャリアブロック
１４・１５・・ガイドシャフト
１６・・・・・スレッドモータ
１７・・・・・ディスク支持アーム
１８・・・・・誘引アーム
１９・・・・・リンク機構
２０・・・・・ローディングスライダー
２１・２２・・従動スライダー
２３・・・・・ローディングモータ
２３ａ・・・・ウォーム
２４・・・・・ホイール
２５・・・・・スピンドル
２６・・・・・伝達ギヤ
２７・・・・・駆動ギヤ
２８・・・・・引張コイルバネ
２９・・・・・能動部材
３０・・・・・受動部材
３１・・・・・捻りバネ
Ｄ・・・・・・ディスク
Ｅ・・・・・・動力伝達ギヤ機構
Ｐ・・・・・・操作ピン
【図１】
2008016129.tif 000003
【図２】
2008016129.tif 000004
【図３】
2008016129.tif 000005
【図４】
2008016129.tif 000006
【図５】
2008016129.tif 000007
【図６】
2008016129.tif 000008
【図７】
2008016129.tif 000009
【図８】
2008016129.tif 000010
【図９】
2008016129.tif 000011
【図１０】
2008016129.tif 000012
【図１１】
2008016129.tif 000013
【図１２】
2008016129.tif 000014
【図１３】
2008016129.tif 000015
【図１４】
2008016129.tif 000016
【図１５】
2008016129.tif 000017
【図１６】
2008016129.tif 000018